(57)【特許請求の範囲】
【請求項１】
木材からなる第１部材と木材からなる第２部材との間に接続金具を係合させて接合する木造軸組構造に用いられ、第２部材に形成されたピン孔とそれに対応させて接続金具に形成された係止孔とに挿入されるドリフトピンのピン装着忘れ防止部材であって、
前記ピン孔に挿入されるシャトル部と、
該シャトル部と一体形成され、該シャトル部が前記ピン孔に挿入された状態において、前記ピン孔外に位置するベース部とを有し、
該ベース部は、前記ピン孔に前記ドリフトピンを打ち込むことにより前記シャトル部と切断分離することを特徴とするピン装着忘れ防止部材。
【請求項２】
前記ベース部は、木材の色と異なる色になるように着色されたことを特徴とする請求項１記載のピン装着忘れ防止部材。
【請求項３】
前記シャトル部は、該最大外径が前記ピン孔の内径と比較して略同径強で、前記ベース部との結合部に向かって外径を大きくしていることを特徴とする請求項１記載のピン装着忘れ防止部材。
【請求項４】
前記シャトル部の前記ドリフトピンとの接触面の形状は、該ドリフトピンの該シャトル部との接触面の形状と略同形になるように形成されたことを特徴とする請求項１記載のピン装着忘れ防止部材。
【発明の詳細な説明】
【技術分野】
【０００１】
本発明は、木材からなる第１部材と木材からなる第２部材との間に接続金具を係合させて接合する木造軸組構造に用いられ、第２部材に形成されたピン孔とそれに対応させて接続金具に形成された係止孔とに挿入されるドリフトピンのピン装着忘れ防止部材に関する。
【背景技術】
【０００２】
従来、梁等の横木部材と柱等の縦木部材を接合する建築用木部材の接合方法として、ほぞ加工やぬき加工を木材に施し、これら木材どうしを組み合わせて接合する方法が用いられてきた。しかし、近年では、建築用接合金具を用いて横木部材と縦木部材を接合すると、木材どうしを組み合わせて接合するより強固に接合でき、かつ、施工現場での作業効率を向上させることができることから、様々な構造の建築用接合金具が提案されている。たとえば、一対の対称なフック材からなり、フック材がそれぞれ板材を直角に折り曲げて取付部と係止部を形成し、取付部には取付用のボルト孔を形成し、係止部には上向きのフックを形成した木造建築物における梁受け金具の技術が開示されている（たとえば、特許文献１の従来例）。この梁受け金具は、取付部が柱にボルト及びナットにより固定され、梁の木口面に装入される係止部が、係止用のボルト及びロックピン（ドリフトピン）を介して梁と接合され、十分な接合強度で梁を柱に仕口接合することができる。
【先行技術文献】
【特許文献】
【０００３】
【特許文献１】特開２００５−１５５１９６号公報
【発明の概要】
【発明が解決しようとする課題】
【０００４】
しかしながら、柱と梁を接合する際に用いられるドリフトピンは施工現場で梁の木口面などに打ち込み装着されるが、実際の施工現場ではこのドリフトピンの一部を梁の木口面などに装着することを忘れ、そのまま建築物を完成させてしまう場合もあった。このような場合には、柱と梁の十分な接合強度を得ることができないばかりか、建築基準法が求めている強度基準も満たすことができないという問題が生じていた。
【０００５】
本発明は上記問題点に鑑みてなされたもので、木材からなる第１部材と木材からなる第２部材との間に接続金具を係合させて接合する木造軸組構造において、ピン孔とそれに対応させて接続金具に形成された係止孔とにドリフトピンを完全確実に装着し、第１部材と第２部材との十分な接合強度を得ることを目的とする。
【課題を解決するための手段】
【０００６】
上記課題を解決し上記目的を達成するために、本発明のうち第１の態様に係るものは、ピン孔に挿入されるシャトル部と、該シャトル部と一体形成され、該シャトル部がピン孔に挿入された状態において、ピン孔外に位置するベース部とを有し、該ベース部は、ピン孔にドリフトピンを挿入することによりシャトル部と切断分離することを特徴とする。
【０００７】
ピン孔は、そのピン孔が形成された木材と同色で小さな孔でさらにその数も多いことから、ドリフトピンが装着されていないピン孔を見落としやすい。本発明によれば、シャトル部がピン孔に挿入された状態において、ベース部がピン孔外に位置するので、作業者はそのベース部を目印としてドリフトピンが装着されていないピン孔を容易に見つけ出すことができ、ドリフトピンの装着忘れを防止できる。これにより、第１部材（たとえば、柱や梁など）と第２部材（たとえば、柱や梁など）との十分な接合強度を得ることができ、建築基準法違反の建造物になることも防止できる。さらに、ドリフトピンがピン孔に打ち込まれることによりベース部がシャトル部と切断分離するので、切断分離したベース部をドリフトピン外に取り出すことができるとともに、ピン孔が貫通孔である場合には、ドリフトピンを貫通孔の出口まで打ち込むことにより切断分離されたシャトル部を貫通孔の出口から排出させることができる。
【０００８】
本発明のうち第２の態様に係るものは、第１の態様に係るピン装着忘れ防止装置であって、ベース部は、木材の色と異なる色になるように着色されたことを特徴とする。
【０００９】
本発明によれば、ベース部は木材の色と異なる色であるので、作業者は該ベース部を目印としてドリフトピンが装着されていないピン孔を容易に見つけ出すことができ、ドリフトピンの装着忘れを防止できる。
【００１０】
本発明のうち第３の態様に係るものは、第１の態様に係るピン装着忘れ防止装置であって、シャトル部は、該最大外径がピン孔の内径と比較して略同径強で、ベース部との結合部に向かって外径を大きくしていることを特徴とする。
【００１１】
本発明によれば、シャトル部の最大外径がピン孔の内径と比較して略同径強で、シャトル部はベース部との結合部に向かって外径を大きくしているので、ピン装着忘れ防止部材がピン孔に装着しやすくなり、さらに、シャトル部をピン孔に挿入した状態において、シャトル部は外に広がろうとする力が発生し装着したドリフトピンも該運搬中や施工時にピン孔から外れにくい。
【００１２】
本発明のうち第４の態様に係るものは、第１の態様に係るピン装着忘れ防止装置であって、シャトル部のドリフトピンとの接触面の形状は、ドリフトピンのシャトル部との接触面の形状と略同形になるように形成されたことを特徴とする。
【００１３】
本発明によれば、シャトル部のドリフトピンとの接触面の形状は、ドリフトピンのシャトル部との接触面の形状と略同形になるように形成されているので、ドリフトピンを打ち込むことによりピン装着忘れ防止部材がピン孔に挿入しやすく、また、ベース部とシャトル部とをスムーズに切断分離することができる。
【発明の効果】
【００１４】
本発明によれば、ピン孔とそれに対応させて接続金具に形成された係止孔とにドリフトピンを完全確実に装着でき、柱と梁との十分な接合強度を得ることができる。
【図面の簡単な説明】
【００１５】
【図１】（ａ）  本発明の一実施形態におけるピン装着忘れ防止部材の上部平面図である。          （ｂ）  同ピン装着忘れ防止部材の下部平面図である。          （ｃ）  同ピン装着忘れ防止部材の断面図である。
【図２】（ａ）  同ピン装着忘れ防止部材の上部斜視図である。          （ｂ）  同ピン装着忘れ防止部材の下部斜視図である。
【図３】（ａ）  同ピン装着忘れ防止部材を装着した接合部分の分解斜視図である。          （ｂ）  同ピン装着忘れ防止部材を装着した梁等の横架材と柱が一体化した状態を示す図である。
【図４】同ピン装着忘れ防止部材を装着した梁等の横架材と柱が組み立てられた状態を示す図である。
【図５】図４のＡ-Ａ断面の断面図である。
【図６】（ａ）  梁等の横架材に装着されているピン装着忘れ防止部材を示す図である。          （ｂ）  ドリフトピンがピン装着忘れ防止部材に当たる瞬間を示す図である。          （ｃ）  ピン装着忘れ防止部材のシャトル部とベース部が分離した状態を示す図である。          （ｄ）  ピン装着忘れ防止部材１の分離したシャトル部がピン孔の出口側に装着されたピン装着忘れ防止部材まで達した状態を示す図である。          （ｅ）、ピン孔の出口側に装着されたピン装着忘れ防止部材が押し出された状態を示す図である。
【図７】（ａ）  同ピン装着忘れ防止部材を装着した他の接合部分の分解斜視図である。          （ｂ）  同ピン装着忘れ防止部材を装着した梁等の横架材と他の梁等の横架材が一体化した状態を示す図である。
【図８】同ピン装着忘れ防止部材を装着した梁等の横架材と他の梁等の横架材が組み立てられた状態を示す図である。
【図９】（ａ）  同ピン装着忘れ防止部材を装着した他の接合部分の分解斜視図である。          （ｂ）  同ピン装着忘れ防止部材を装着した柱と梁等の横架材が一体化した状態を示す図である。
【図１０】同ピン装着忘れ防止部材を装着した柱と梁等の横架材とが組み立てられた状態を示す図である。
【図１１】図１０のＢ-Ｂ断面の断面図である。
【図１２】（ａ）  柱に装着されているピン装着忘れ防止部材を示す図である。            （ｂ）  ドリフトピンがピン装着忘れ防止部材に当たる瞬間を示す図である。            （ｃ）  ピン装着忘れ防止部材のシャトル部とベース部が分離した状態を示す図である。            （ｄ）  ピン装着忘れ防止部材の分離したシャトル部がピン孔の出口側に装着されたピン装着忘れ防止部材まで達した状態を示す図である。            （ｅ）  ピン孔の出口側に装着されたピン装着忘れ防止部材が押し出された状態を示す図である。
【発明を実施するための形態】
【００１６】
以下、本発明のピン装着忘れ防止部材について図面を参照にしながら説明する。ここで、図１（ａ）は、本発明の一実施形態におけるピン装着忘れ防止部材の上部平面図であり、（ｂ）は、同ピン装着忘れ防止部材の下部平面図であり、（ｃ）は、同ピン装着忘れ防止部材の断面図である。また、図２（ａ）は  同ピン装着忘れ防止部材の上部斜視図であり、（ｂ）は  同ピン装着忘れ防止部材の下部斜視図である。
【００１７】
図１および図２に示すように、ピン装着忘れ防止装置１は、シャトル部２と、ベース部３を有している。
【００１８】
シャトル部２は、後述するように木材からなる梁等の横架材４に形成されたピン孔５などに挿入されるものであり、ドリフトピン６と接する部分の内側面の形状が、該ドリフトピン６の外周面の形状（ドリフトピン６の先端形状）と略同形の形状を有している。
【００１９】
ベース部３は、シャトル部２と一体形成され、該シャトル部２がピン孔５に挿入された状態において、ピン孔５の外側に位置するものである。このベース部３は、シャトル部２と結合部Ａで結合されている。なお、ベース部３の色は木材の色と異なる色（たとえば、青、赤など）に着色されている。
【００２０】
（第１実施形態）
次に、本発明のピン装着忘れ防止部材１の接合方法について説明する。図３（ａ）は、本発明の一実施形態におけるピン装着忘れ防止部材を装着した接合部分の分解斜視図であり、（ｂ）は、同ピン装着忘れ防止部材を装着した梁等の横架材と柱が一体化した状態を示す図である。なお、本実施形態では、第１部材として木材からなる柱を用い、第２部材として木材からなる梁等の横架材を用いて説明する。
【００２１】
図３に示すように、垂直に立っている柱７の側面に水平に横たわる梁等の横架材４の端面を接触させて、接続金具８を介して双方を一体化している。
【００２２】
接続金具８は、中央部９と、この中央部９の両側から直角に延びる側面部１０とから構成されている。
【００２３】
中央部９には、柱７の側面と接触する部分に柱７との位置決めを行うための円柱状のホゾ１１（図３（ｂ）参照）が形成されている。このホゾ１１は、中空状でその中心部には固定孔が形成されている。柱７の側面には、ホゾ１１と対になるホゾ穴１３と、このホゾ穴１３と同心で柱７を貫く柱貫通孔１４と、ナット１５を収納するためのナット穴１６とが連通するように形成されている（図３（ｂ）参照）。接続金具８を柱７に固定する際には、ホゾ穴１３にホゾ１１を差し込んでから、ボルト１２をホゾ穴１３から柱貫通孔１４を介しナット穴１６まで挿入し、ナット穴１６でナット１５を螺合させてボルト１２を引き寄せる。なお、この接続金具８は柱７に装着された状態で施工現場に運び込まれる。
【００２４】
側面部１０には、その上部に梁等の横架材４の端部に取り付けられたドリフトピン６を係止するピン掛け１７が設けられ、またピン掛け１７の下部にドリフトピン６を挿通するための係止孔１８が左右とも同位置にそれぞれ形成されている。
【００２５】
梁等の横架材４には、ドリフトピン６を挿入するためのピン孔５が加工され、上のピン孔５にドリフトピン６が装着され、下のピン孔５にはピン装着忘れ防止部材１が装着された状態で施工現場に運び込まれる。なお、本実施形態では、ピン孔５を２つ設けて説明したが、これに限らず、ピン孔５を３つ以上設けてもよい。この場合、一番上もしくはその下部のピン孔５にドリフトピン６が装着され、その他のピン孔５にはピン装着忘れ防止部材１が装着された状態で施工現場に運び込まれる。
【００２６】
施工現場に接続金具８が固定された柱７および一番上のピン孔５にドリフトピン６が装着されている梁等の横架材４が運ばれると、まず柱７を土台（図示せず）上に立設させる。そして、柱７が土台上に立設されると、柱７に固定された接続金具８の側面部１０を梁等の横架材４に設けられた溝１９に差し込みながら、梁等の横架材４の上のピン孔５に挿入されているドリフトピン６を接続金具８の側面部１０に設けられたピン掛け１７に係止させる。これにより、梁等の横架材４と柱７とが組み立てられた状態になる（図４参照）。なお、接続金具８の中央部９を収納するため、梁等の横架材４の端面には両溝１９の間を削った切欠が形成されている。
【００２７】
次に、梁等の横架材４の一番上のピン孔５に挿入されているドリフトピン６を接続金具８の側面部１０に設けられたピン掛け１７に係止させて、梁等の横架材４を柱７に一体化させた状態から、ドリフトピン６が挿入されていないピン孔５にドリフトピン６を打ち込み、梁等の横架材４を柱７に固定させる。なお、ドリフトピン６が挿入されていないピン孔５にはピン装着忘れ防止部材１が装着されており、このピン装着忘れ防止部材１の使用方法については、図５および図６を用いて後述する。図５は、図４のＡ-Ａ断面の断面図である。
【００２８】
図５に示すように、ピン装着忘れ防止部材１がピン孔５に装着された状態では、ピン装着忘れ防止部材１のシャトル部２がピン孔５に挿入され、ピン装着忘れ防止部材１のベース部３がピン孔５外に位置している。このように、ピン装着忘れ防止部材１のシャトル部２がピン孔５に挿入された状態において、ピン装着忘れ防止部材１のベース部３がピン孔５外に位置するので、作業者はそのピン装着忘れ防止部材１のベース部３を目印としてドリフトピン６が装着されていないピン孔５を容易に見つけ出すことができ、ドリフトピン６の装着忘れを防止できる。
【００２９】
また、ピン装着忘れ防止部材１のシャトル部２はピン装着忘れ防止部材１のベース部３との結合部Ａに向かって外径を大きくしている。これにより、ピン装着忘れ防止部材１がピン孔５に装着しやすくなり、さらに、ピン装着忘れ防止部材１のシャトル部２の最大外径がピン孔５の内径と比較して少し大きくしている。これにより、シャトル部２をピン孔５に挿入した状態において、シャトル部２は外に広がろうとする力が発生しピン孔５に装着したドリフトピン６も該運搬中や施工時にピン孔５から外れにくくなる。
【００３０】
次に、ピン装着忘れ防止部材１の具体的使用方法については図６を用いて説明する。図６は、本発明の一実施形態におけるピン装着忘れ防止部材の使用方法を示す図である。なお、図６も図５と同様、図４のＡ-Ａ断面の断面図である。
【００３１】
梁等の横架材４のピン孔５の入口側および出口側にはピン装着忘れ部材１が装着されている。このピン装着忘れ部材１は工場などで装着され施工現場に運び込まれたものである。図６（ａ）は、梁等の横架材に装着されているピン装着忘れ防止部材を示す図である。図６（ａ）に示すように、ピン装着忘れ防止部材１がピン孔５に装着された状態において、木材の色と異なるピン装着忘れ防止部材１のベース部３がピン孔５外に位置するように装着されている。これにより、梁等の横架材４のピン孔５は、そのピン孔５が形成された木材と同色で小さな孔でありさらにその数も多いものであるが、作業者はそのベース部３を目印としてドリフトピン６が装着されていないピン孔５を容易に見つけ出すことができ、ドリフトピン６の装着忘れを防止できる。なお、ドリフトピン６の長さは梁等の横架材４のピン孔５の長さより少し短くしている。
【００３２】
この状態から、施工現場で梁等の横架材４のピン孔５にドリフトピン６が打ち込まれる。このように、梁等の横架材４のピン孔５にドリフトピン６が打ち込まれると、ピン装着忘れ防止部材１はドリフトピン６の挿入方向に押される。この場合、ピン装着忘れ防止部材１のシャトル部２の接触面の形状は、該シャトル部２と接するドリフトピン６の接触面の形状と略同形であるので、ドリフトピン６をピン装着忘れ防止部材１に当ててスムーズに打ち込むことができる。図６（ｂ）は、ドリフトピンがピン装着忘れ防止部材に当たる瞬間を示す図である。
【００３３】
そして、ハンマー等で梁等の横架材４のピン孔５にドリフトピン６を打ち込むと、ピン装着忘れ防止部材１のシャトル部２とベース部３が切断し分離し、その切断分離したシャトル部２が梁等の横架材４のピン孔５内に入り込むようになる。図６（ｃ）は、ピン装着忘れ防止部材のシャトル部とベース部が分離した状態を示す図である。
【００３４】
この状態からさらにハンマー等で梁等の横架材４のピン孔５にドリフトピン６を打ち込むと、ドリフトピン６が梁等の横架材４のピン孔５の出口側まで打ち込まれ、ベース部３と分離したピン装着忘れ防止部材１のシャトル部２がピン孔５の出口側に装着されたピン装着忘れ防止部材１に達する。図６（ｄ）は、ピン装着忘れ防止部材１の分離したシャトル部がピン孔の出口側に装着されたピン装着忘れ防止部材まで達した状態を示す図である。そしてさらにドリフトピン６を打ち込むと、ドリフトピン６により押されたピン装着忘れ防止部材１のシャトル部２がピン孔５の出口側に装着されたピン装着忘れ防止部材１を押し出し、ピン孔５の出口側に装着されたピン装着忘れ防止部材１が落下する。図６（ｅ）は、ピン孔の出口側に装着されたピン装着忘れ防止部材が押し出された状態を示す図である。また、ドリフトピン６の先端部がピン孔５の出口に達すると、ドリフトピン６の後端部もピン孔５内に入り込む（図示略）。これにより、ピン装着忘れ防止部材１の切断したベース部３もドリフトピン６から抜け落ち落下するようになる。
【００３５】
このように、ドリフトピン６の後端部がピン孔５内に入り込むまでドリフトピン６が打ち込まれると、切断分離したピン装着忘れ防止部材１のベース部３がドリフトピン６から抜け落ち落下するので、ドリフトピン６が打ち込まれたピン孔５についてはピン装着忘れ防止部材１（ベース部３）が装着されず、作業者はそのピン装着忘れ防止部材１（ベース部３）が装着されているピン孔５を探し出すことにより容易にドリフトピン６の装着忘れを防止できる。また、仮に、切断分離したピン装着忘れ防止部材１のベース部３がドリフトピン６から抜け落ちない場合でも、作業者により切断分離したピン装着忘れ防止部材１のベース部３をドリフトピン６から取り除くことにより同様の効果を有する。さらに、本実施形態のようにピン孔５が貫通孔である場合には、ドリフトピン６を貫通孔の出口まで打ち込むことによりピン孔５の出口側に装着されたピン装着忘れ防止部材１も抜け落ち落下するので、ピン孔５の出口側にピン装着忘れ防止部材１を装着した場合においても、作業者はそのピン装着忘れ防止部材１（ベース部３）が装着されているピン孔５を探し出すことにより容易にドリフトピン６の装着忘れを防止できる。
【００３６】
なお、本実施形態では、第１部材として木材からなる柱を用い、第２部材として木材からなる梁等の横架材を用いて説明したが、これに限らず、第１部材として木材からなる梁等の横架材を用い、第２部材としても木材からなる梁等の横架材を用いても同様の作用効果を有する（図７および図８参照）。ここで、図７（ａ）は、本発明の一実施形態におけるピン装着忘れ防止部材を装着した他の接合部分の分解斜視図であり、（ｂ）は、同ピン装着忘れ防止部材を装着した梁等の横架材と他の梁等の横架材が一体化した状態を示す図である。また、図８は、同ピン装着忘れ防止部材を装着した梁等の横架材と他の梁等の横架材が組み立てられた状態を示す図である。なお、第１部材および第２部材として木材からなる梁等の横架材を用いた場合においても、その使用方法などは第１部材として木材からなる柱を用い、第２部材として木材からなる梁等の横架材を用いた場合と同様なので、その説明は省略する。
【００３７】
（第２実施形態）
次に、本発明のピン装着忘れ防止部材１の他の接合方法について説明する。図９（ａ）は、本発明の一実施形態におけるピン装着忘れ防止部材を装着した他の接合部分の分解斜視図であり、（ｂ）は、同ピン装着忘れ防止部材を装着した柱と梁等の横架材が一体化した状態を示す図である。なお、本実施形態では、第１部材として木材からなる梁等の横架材を用い、第２部材として木材からなる柱を用いて説明する。
【００３８】
本実施形態では、垂直に立っている柱１０７の端面に水平に横たわる梁等の横架材１０４の側面を接触させて、シャフト（接続金具）１０８を介して双方を一体化している。
【００３９】
シャフト１０８は、鋼製で円柱形状をしており、側面には上下方向にドリフトピン６を挿通するための係止孔１１８ａ、１１８ｂが形成されている。なお、本実施形態では、シャフト１０８の２箇所に係止孔１１８ａ、１１８ｂを設けているが、この構成に限定されるものではなく、たとえば、３箇所以上に係止孔を設ける構造としてもよい。
【００４０】
柱１０７の端面および梁等の横架材１０４の側面には、シャフト１０８と略同径の丸穴１１４ａ、１１４ｂがあらかじめ加工されており、この丸穴１１４ａ、１１４ｂにシャフト１０８が差し込まれる。また、柱１０７および梁等の横架材１０４の側面には、ドリフトピン６を挿入させるためのピン孔１０５ａ、１０５ｂが加工され、梁等の横架材１０４の側面のピン孔１０５ｂにドリフトピン６が装着され、柱１０７の側面のピン孔５にはピン装着忘れ防止部材１が装着された状態で施工現場に運び込まれる。
【００４１】
施工現場にピン孔１０５ａにピン装着忘れ防止部材１が装着された柱１０７およびドリフトピン６によりシャフト１０８が固定されている梁等の横架材１０４が運ばれると、柱１０７端面の丸穴１１４ａに梁等の横架材１０４の丸穴１１４ｂに装着されているシャフト１０８を差し込む。これにより、梁等の横架材１０４が柱１０７と一体化した状態になる（図１０参照）。図１０は、本発明の一実施形態におけるピン装着忘れ防止部材を装着した柱と梁等の横架材とが組み立てられた状態を示す図である。
【００４２】
次に、梁等の横架材１０４と柱１０７とがシャフト１０８を介して一体化された状態から、柱１０７に設けられたピン孔１０５ａにドリフトピン６を打ち込み、柱１０７を梁等の横架材１０４に固定させる。なお、上述したように、柱１０７のピン孔１０５ａにピン装着忘れ防止部材１が装着されており、このピン装着忘れ防止部材１の使用方法については、図１１および図１２を用いて後述する。図１１は、図１０のＢ-Ｂ断面の断面図である。
【００４３】
図１１に示すように、ピン装着忘れ防止部材１がピン孔１０５ａに装着された状態では、ピン装着忘れ防止部材１のシャトル部２がピン孔１０５ａに挿入され、ピン装着忘れ防止部材１のベース部３がピン孔１０５ａ外に位置している。このように、ピン装着忘れ防止部材１のシャトル部２がピン孔１０５ａに挿入された状態において、ピン装着忘れ防止部材１のベース部３がピン孔１０５ａ外に位置するので、作業者はそのピン装着忘れ防止部材１のベース部３を目印としてドリフトピン６が装着されていないピン孔１０５ａを容易に見つけ出すことができ、ドリフトピン６の装着忘れを防止できる。
【００４４】
また、上述したように、ピン装着忘れ防止部材１のシャトル部２はピン装着忘れ防止部材１のベース部３との結合部Ａに向かって外径を大きくしている。これにより、ピン装着忘れ防止部材１がピン孔１０５ａに装着しやすくなり、さらに、ピン装着忘れ防止部材１のシャトル部２の最大外径がピン孔１０５ａの内径と比較して少し大きくしている。これにより、シャトル部２をピン孔１０５ａに挿入した状態において、シャトル部２は外に広がろうとする力が発生しピン孔１０５ａに装着したドリフトピン６も該運搬中や施工時にピン孔１０５ａから外れにくくなる。
【００４５】
次に、ピン装着忘れ防止部材１の具体的使用方法については図１２を用いて説明する。図１２は、本発明の一実施形態におけるピン装着忘れ防止部材の使用方法を示す図である。なお、図１２も図１１と同様、図１０のＢ-Ｂ断面の断面図である。
【００４６】
柱１０７のピン孔１０５ａの入口側および出口側にはピン装着忘れ部材１が装着されている。このピン装着忘れ部材１は工場などで装着され施工現場に運び込まれたものである。図１２（ａ）は、柱に装着されているピン装着忘れ防止部材を示す図である。このように、ピン装着忘れ防止部材１がピン孔１０５ａに装着された状態において、木材の色と異なるピン装着忘れ防止部材１のベース部３がピン孔１０５ａ外に位置するように装着されている。これにより、柱１０７のピン孔１０５ａは、そのピン孔１０５ａが形成された木材と同色で小さな孔でありさらにその数も多いものであるが、作業者はそのベース部３を目印としてドリフトピン６が装着されていないピン孔１０５ａを容易に見つけ出すことができ、ドリフトピン６の装着忘れを防止できる。なお、ドリフトピン６の長さは柱１０７のピン孔１０５ａの長さより少し短くしている。
【００４７】
この状態から、施工現場で柱１０７のピン孔１０５ａにドリフトピン６が打ち込まれる。このように、柱１０７のピン孔１０５ａにドリフトピン６が打ち込まれると、ピン装着忘れ防止部材１はドリフトピン６の挿入方向に押される。この場合、ピン装着忘れ防止部材１のシャトル部２の接触面の形状は、該シャトル部２と接するドリフトピン６の接触面の形状と略同形であるので、ドリフトピン６をピン装着忘れ防止部材１に当ててスムーズに打ち込むことができる。図１２（ｂ）は、ドリフトピンがピン装着忘れ防止部材に当たる瞬間を示す図である。
【００４８】
そして、ハンマー等で柱１０７のピン孔１０５ａにドリフトピン６を打ち込むと、ピン装着忘れ防止部材１のシャトル部２とベース部３が切断し分離し、その切断分離したシャトル部２が柱１０７のピン孔１０５ａ内に入り込むようになる。図１２（ｃ）は、ピン装着忘れ防止部材のシャトル部とベース部が分離した状態を示す図である。
【００４９】
この状態からさらにハンマー等で柱１０７のピン孔１０５ａにドリフトピン６を打ち込むと、ドリフトピン６が柱１０７のピン孔１０５ａの出口側まで打ち込まれ、シャトル部２とベース部３が分離したピン装着忘れ防止部材１のシャトル部２がピン孔１０５ａの出口側に装着されたピン装着忘れ防止部材１に達する。図１２（ｄ）は、ピン装着忘れ防止部材の分離したシャトル部がピン孔の出口側に装着されたピン装着忘れ防止部材まで達した状態を示す図である。そしてさらにドリフトピン６を打ち込むと、ドリフトピン６により押されたピン装着忘れ防止部材１のシャトル部２がピン孔１０５ａの出口側に装着されたピン装着忘れ防止部材１を押し出し、ピン孔１０５ａの出口側に装着されたピン装着忘れ防止部材１が落下する。図１２（ｅ）は、ピン孔の出口側に装着されたピン装着忘れ防止部材が押し出された状態を示す図である。また、ドリフトピン６の先端部がピン孔１０５ａの出口に達すると、ドリフトピン６の後端部もピン孔１０５ａ内に入り込む（図示略）。これにより、ピン装着忘れ防止部材１の切断したベース部３もドリフトピン６から抜け落ち落下するようになる。
【００５０】
このように、ドリフトピン６の後端部がピン孔１０５ａ内に入り込むまでドリフトピン６が打ち込まれると、切断分離したピン装着忘れ防止部材１のベース部３がドリフトピン６から抜け落ち落下するので、ドリフトピン６が打ち込まれたピン孔１０５ａについてはピン装着忘れ防止部材１（ベース部３）が装着されず、作業者はそのピン装着忘れ防止部材１（ベース部３）が装着されているピン孔１０５ａを探し出すことにより容易にドリフトピン６の装着忘れを防止できる。また、仮に、切断分離したピン装着忘れ防止部材１のベース部３がドリフトピン６から抜け落ちない場合でも、作業者により切断分離したピン装着忘れ防止部材１のベース部３をドリフトピン６から取り除くことにより同様の効果を有する。さらに、本実施形態のようにピン孔１０５ａが貫通孔である場合には、ドリフトピン６を貫通孔の出口まで打ち込むことによりピン孔１０５ａの出口側に装着されたピン装着忘れ防止部材１も抜け落ち落下するので、ピン孔１０５ａの出口側にピン装着忘れ防止部材１を装着した場合においても、作業者はそのピン装着忘れ防止部材１（ベース部３）が装着されているピン孔５を探し出すことにより容易にドリフトピン６の装着忘れを防止できる。
【００５１】
なお、本実施形態では、第１部材として木材からなる梁等の横架材を用い、第２部材として木材からなる柱を用いて説明したが、これに限らず、第１部材として木材からなる柱を用い、第２部材としても木材からなる柱を用いても同様の作用効果を有する。
【００５２】
今回開示された実施の形態は、すべての点で例示であって制限的なものではないと考えられるべきである。本発明の範囲は、上記した説明ではなくて特許請求の範囲によって示され、特許請求の範囲と均等の意味および範囲内でのすべての変更が含まれることが意図される。
【符号の説明】
【００５３】
１  ピン装着忘れ防止部材
２  シャトル部
３  ベース部
４  梁等の横架材
５  ピン孔
６  ドリフトピン
７  柱
８  接続金具
９  中央部
１０  側面部
１１  ホゾ
１２  ボルト
１３  ホゾ穴
１４  柱貫通孔
１５  ナット
１６  ナット穴
１７  ピン掛け
１８  係止孔
１０４  梁等の横架材
１０５ａ  ピン孔
１０５ｂ  ピン孔
１０７  柱
１０８  シャフト
１１４ａ  丸穴
１１４ｂ  丸穴
１１８  係止孔
【要約】 
【課題】    ドリフトピンの一部を梁の木口面などに装着することを忘れることにより、柱と梁の十分な接合強度を得ることができないという問題が生じていた。  
【解決手段】
木材からなる第１部材と木材からなる第２部材との間に接続金具を係合させて接合する木造軸組構造に用いられ、第２部材に形成されたピン孔５とそれに対応させて接続金具８に形成された係止孔１８とに挿入されるドリフトピンのピン装着忘れ防止部材であって、ピン孔５に挿入されるシャトル部２と、該シャトル部２と一体形成され、該シャトル部２がピン孔５に挿入された状態において、ピン孔５外に位置するベース部３とを有し、ベース部３は、ピン孔５にドリフトピン６を打ち込むことによりシャトル部２と切断分離する。
【選択図】      図１【図１】
0004297291.tif 000002
【図２】
0004297291.tif 000003
【図３】
0004297291.tif 000004
【図４】
0004297291.tif 000005
【図５】
0004297291.tif 000006
【図６】
0004297291.tif 000007
【図７】
0004297291.tif 000008
【図８】
0004297291.tif 000009
【図９】
0004297291.tif 000010
【図１０】
0004297291.tif 000011
【図１１】
0004297291.tif 000012
【図１２】
0004297291.tif 000013